(57)【特許請求の範囲】
【請求項１】
原稿読取手段と、該読取手段により読取られた電話番号情報パタ−ンに基づいてパタ−ン認識を行なう手段と、該認識手段の認識結果を格納する手段と、該格納手段に格納された認識結果を表示する手段と、該表示手段上のカ−ソルの移動を指示する手段と、上記指示手段の指示に従つて上記表示手段上のカ−ソルを制御する手段とを備え、
上記カ−ソル移動指示手段はカ−ソルの右移動を指示する手段と左移動を指示する手段とを備え、上記カ−ソル制御手段は上記表示手段へ上記認識結果を表示している状態であると共にカーソルを表示していない状態で、上記右移動指示手段からの指示が最初にあると上記認識結果が表示された上記表示手段上の左端にカ−ソルの表示を開始させ、一方、上記左移動指示手段からの指示が最初にあると上記認識結果が表示された上記表示手段上の右端にカ−ソルの表示を開始させることを特徴とする通信端末装置。
【発明の詳細な説明】
【０００１】
【産業上の利用分野】
本発明は原稿上に記載された電話番号情報を認識し自動的にダイヤル発信可能な通信端末装置に関する。
【０００２】
【従来の技術】
現在、ファクシミリ装置や電話機等の通信端末装置における電話番号入力はテンキー、ワンタッチキー或いは短縮キー等のダイヤルキーを操作することにより行われている。しかし、この方法では操作者のキー操作が必要であるためダイヤル発信操作が煩雑となる可能性があると共に誤操作による誤発信が発生する確率も高くなっていた。また、操作者が電話番号をキー入力する際にはメモ書等を見ながらキーを操作するケースが多く、この場合のメモ書きの記載ミスはキーの誤操作に較べて発生確率が低いという現実がある。
【０００３】
そこで、キー操作の煩雑さの解消及び誤発信防止を目的とすると共にメモ書の記載ミスの低さを利用したものとして例えば特開平２−１１３６６５号公報、特開平４−１７７９６９号公報等において、原稿に記載された電話番号を自動的に認識しダイヤル発信を行なう装置が提案されている。
【０００４】
また、現行のパターン認識技術の認識率は１００％ではないため誤認識が生じる可能性があることを考慮して特開平１−１７５３６３号公報では認識結果を一定時間表示すると共にこの表示中に訂正可能とする構成も提案されている。
【０００５】
【発明が解決しようとする課題】
上記特開平１−１７５３６３号公報に記載された認識結果の訂正方法は、単にキー入力された数字を表示し、スタートキーに従ってこの入力された数字を相手先電話番号として発信するというものである。即ち、従来の方法では単に認識結果に誤まりがあると電話番号をキー入力し直す程度のものであり、認識結果を有効に活用するためにその一部を訂正する方法については提案すらされていなかった。
【０００６】
【課題を解決するための手段】
本発明は、原稿読取手段と、該読取手段により読取られた電話番号情報パタ−ンに基づいてパタ−ン認識を行なう手段と、該認識手段の認識結果を格納する手段と、該格納手段に格納された認識結果を表示する手段と、該表示手段上のカ−ソルの移動を指示する手段と、上記指示手段の指示に従つて上記表示手段上のカ−ソルを制御する手段とを備え、上記カ−ソル移動指示手段はカ−ソルの右移動を指示する手段と左移動を指示する手段とを備え、上記カ−ソル制御手段は上記表示手段へ上記認識結果を表示している状態であると共にカーソルを表示していない状態で、上記右移動指示手段からの指示が最初にあると上記認識結果が表示された上記表示手段上の左端にカ−ソルの表示を開始させ、一方、上記左移動指示手段からの指示が最初にあると上記認識結果が表示された上記表示手段上の右端にカ−ソルの表示を開始させることを特徴とする通信端末装置。
【００１３】
【作用】
本願発明の特徴によれば、表示手段上での訂正位置を示すカーソルを訂正すべき桁位置に応じて最適位置に表示することができる。
【００１６】
【実施例】
図４は本発明を適用してなるファクシミリ装置本体（１）の外観斜視図であり、本体（１）右側壁後端下部には内部に収納されたスピーカからの出力を本体（１）外部に導くための音声出力孔（２）が穿設されている。上記本体（１）上部後端には送信すべき画像情報が記載された原稿（３）がセットされる原稿挿入口（４）が形成されている。この挿入口（４）近傍には挿入口（４）の幅方向に摺動可能な原稿ガイド（５）が配され、上記原稿（３）の斜行を防止する。上記挿入口（４）より挿入された原稿（３）は本体（１）内部に配された原稿読取手段（後述）で画像情報が読み取られた後、本体（１）前面に形成された原稿排出口（６）より排出される。上記挿入口（４）は本体（１）後端に回動自在に装着されたカバー（７）により被覆可能であり、未使用時の挿入口（４）からのゴミ等の異物の進入を防止できる。上記本体（１）上面左端には通話用のハンドセット（８）が配され、その他の上面部は表示器及び各種キーを備えた操作パネル（９）となっている。また、図示しないものの本体（１）内には受信データ等を印字出力するための記録手段が内蔵されている。
【００１７】
図５は、上述の操作パネル（９）を示す平面図であり、その上端には例えば液晶等のフラットディスプレイからなる表示部（１０）が配されている。この表示部（１０）は例えば３２桁×１ラインの表示能力を有する。上記表示部（１０）の右隣にはメニューキー（１１）、セットキー（１２）、画質選択キー（１３）、原稿種類キー（１４）等が配されている。上記メニューキー（１１）は通常ワンタッチダイヤル番号、短縮ダイヤル番号の設定の他、ファクシミリ装置の機能（例えば、ポーズ時間、リダイヤル回数等）を予め特定するためのメモリスイッチ等の変更のためのモードへの移行指示を行うためのキーであり、上記セットキー（１２）は通常上記設定及び変更の確定を指示するキーとして利用される。また、上記画質選択キー（１３）は原稿（３）の読取モード（標準、ファイン、スーパーファイン）を指定するためのキーであり、上記原稿種類キー（１４）は原稿（３）に記載の画像情報の濃淡や中間調であるか否かを設定するためのキーである。上記操作パネル（９）の略中央には「０」〜「９」の各数字キー及び＊キー、＃キーからなるテンキー群（１５）が配されている。このテンキー群（１５）の右隣には、停止キー（１６）、スタートキー（１７）、コピーキー（１８）及びダイヤルバンクキー（１９）が配されている。このダイヤルバンクキー（１９）は予めメモリに格納されている電話番号等の相手先情報を順次表示部（１０）に表示させるためのもので、このキー（１９）操作により所望の相手先情報が表示部（１０）に表示された時点でスタートキー（１７）を操作することによりこの相手先情報に従ったダイヤル発信を行うことができる。上記テンキー群（１５）の左隣には４つのワンタッチダイヤルキーを備えたワンタッチダイヤルキー群（２０）、短縮ダイヤル発信を指示する短縮キー（２１）、フラッシュキー（２２）、トーン・パルス切り替えのためのトーンキー（２３）、ポーズキー（２４）、再ダイヤルキー（２５）、保留キー（２６）、ハンズフリーキー（２７）等の各種キーの他にハンズフリー用のマイク（２８）が配されている。更に、操作パネル（９）に隣接したハンドセット載置部（２９）上にはフックスイッチ（３０）が配されている。
【００１８】
図６は、原稿読取手段（３１）の構成を示す。原稿読取手段（３１）は、主走査方向（図中紙面垂直方向）に複数（２０４８個）配された光学的読取素子を有する密着型イメージセンサユニットＣＩＳ（３２）と、このＣＩＳ（３２）の読取面に対向配置され主走査方向に延在する回動軸を中心に回転自在であると共に表面が白色の圧接ローラ（３３）と、上記ＣＩＳ（３２）に対して原稿（３）流路の上流側に位置し主走査方向に延在する回動軸を中心に回転自在である一対のフィードローラ（３４）と、このフィードローラ（３４）の上流側に配され原稿読取手段（３１）（原稿挿入口（４））への原稿（３）のセットを検出する第１センサ（３５）と、上記ＣＩＳ（３２）とフィードローラ（３４）との間に配され上記ＣＩＳ（３２）への原稿（３）の到達（原稿（３）の読取位置への移動）を検出する第２センサ（３６）とを備える。上記ＣＩＳ（３２）としては例えば松下電器株式会社製のＫＬＳＡ２４０３Ｂ４ＢＴ１を利用でき、このＣＩＳ（３２）は主走査方向１ライン毎に画像情報を読取り、白黒の２値データに変換して出力する。また、上記第１、第２センサ（３５）（３６）はアクチュエータタイプセンサ、光学的センサ、機械的センサ等周知のセンサで構成できる。
【００１９】
図７は本実施例装置の回路構成を示すブロック図であり、例えばマイクロコンピュータからなる制御部ＣＰＵ（４０）は半導体製のリードオンリメモリＲＯＭ（４１）に予め格納されている制御プログラムに基づいてバス（４２）を介して接続された各部の制御を司る。尚、上記ＲＯＭ（４１）には上記制御プログラムの他に手書文字のパターンマッチングを行うための認識用辞書、各種メッセージ出力用の表示及び音声データが格納されている。
【００２０】
モータ制御部（４３）は、上記圧接ローラ（３３）及びフィードローラ（３４）に駆動力を与えるステッピングモータからなる送信モータ（４４）及び記録紙をフィードするための受信モータ（４５）に対する制御をＣＰＵ（４０）の制御の下で実行する。
【００２１】
画処理部（４６）は、ＣＰＵ（４０）の制御の下でＣＩＳ（３２）のスライスレベル、読取モード等の設定を行うと共にＣＩＳ（３２）から出力される白黒の２値データを必要に応じてディザパターンデータに変換し出力する。符号化部（４７）は、ＣＰＵ（４０）の制御の下で１ライン毎の２値データをＭＨ、ＭＲ等の符号化方法に基づいて符号化する。
【００２２】
ＶＲＡＭ（４８）は半導体製のランダムアクセス可能なビットマップメモリであり、このＶＲＡＭ（４８）にはＣＰＵ（４０）の制御の下で画処理部（４６）より出力された２値データを所定ライン（本実施例では１２８ライン）格納可能な領域（以下、ラインバッファ（１００）という）が形成されている（図８参照）。ＳＲＡＭ（４９）は半導体製のランダムアクセス可能なバイトマップメモリであり、このＳＲＡＭ（４９）には各種メモリスイッチを格納する領域（２００）、発信すべき電話番号データを３２桁分格納可能なダイヤルバッファ（３００）、各種フラッグが格納される領域（４００）及び各種カウンタ、ポインタ、変数が格納される領域（５００）を有する（図９参照）。時計回路（５０）は計時を行う回路であり、上記ＶＲＡＭ（４８）、ＳＲＡＭ（４９）及び時計回路（５０）はバックアップ電池（５１）により常時バックアップされているため、停電等により記憶データの消失や計時の狂いを生じることはない。
【００２３】
センサＩ／Ｏポート（５２）は第１、第２センサ（３５）（３６）の検出結果をＣＰＵ（４０）に出力するためのポートであり、入力Ｉ／Ｏポート（５３）は操作パネル（９）上の各キーの操作状態をＣＰＵ（４０）に出力するためのポートであり、表示制御部（５４）はＣＰＵ（４０）の制御の下に表示部（１０）への各種データの表示を行う。記録制御部（５５）はＣＰＵ（４０）の制御の下でサーマルヘッド（５６）の駆動制御を司る。ダイレクトメモリアクセス制御部ＤＭＡ（５７）はＣＰＵ（４０）の制御の下で直接各部間でのデータのアクセスを制御する。
【００２４】
モデム（５８）はＣＰＵ（４０）の制御の下でＮＣＵ（５９）を介して電話回線Ｌ１、Ｌ２に送出又は電話回線Ｌ１、Ｌ２より送られてくるデータを変調又は復調する。また、モデム（５８）は音声応答回路（６０）及びＤＴＭＦ発生回路（６１）を備え、ＣＰＵ（４０）の制御の下で音声メッセージデータに従う音声をＮＣＵ（５９）に送出したり、ダイヤル番号情報に従ったＤＴＭＦ信号をＮＣＵ（５９）を介して発信する。上記ＮＣＵ（５９）は電話回線Ｌ１、Ｌ２からの着信を検出しＮＣＵ制御Ｉ／Ｏポート（６２）を介してその旨をＣＰＵ（４０）に知らせると共にＣＰＵ（４０）の制御の下で電話回線Ｌ１、Ｌ２をハンドセット（８）又はモデム（５８）に切換接続する。尚、ハンズフリー機能設定時にはハンドセット（８）に代えてスピーカ（６３）及びマイク（２８）に電話回線Ｌ１、Ｌ２が接続される。
【００２５】
図１は本実施例装置の動作を説明するためのフローチャートである。
【００２６】
Ｓ１ステップでは、原稿読取手段（３１）の読取位置に到達した原稿（３）上に記載された電話番号等の相手先情報を示すパターン列を読取る。具体的には、第１、第２センサ（３５）（３６）の出力に基づいてＣＰＵ（４０）が原稿（３）の上記読取位置へのセットを判定し、セットされていない時には送信モータ（４４）を駆動し原稿（３）の先端が読取位置に到達するまで原稿（３）をフィードする。原稿（３）が上記読取位置にセットされていると判定すると、ＣＰＵ（４０）は上記パターン列を読取るべくモータ制御部（４３）及び画処理部（４６）を制御し送信モータ（４４）及びＣＩＳ（３２）を駆動する。そして、この駆動によりＣＩＳ（３２）から出力された電話番号列を構成する各ラインのデータは１ラインずつ順次ＶＲＡＭ（４８）中のラインバッファ（１００）に格納される。尚、このパターン列の読取りが終了すると送信モータ（４４）及びＣＩＳ（３２）の駆動は一旦停止される。
【００２７】
次いでＳ２ステップにおいて上記ラインバッファ（１００）中に格納されたデータより文字毎にパターン切出しを行ない、続くＳ３ステップにおいて切出した各文字パターン毎に正規化及び特徴抽出を行なうと共に抽出された特徴とＲＯＭ（４１）中の認識用辞書に予め格納されている特徴とを比較し、一致もしくは近似する特徴と対応した文字コードを出力する。尚、この時上記正規化された結果は上記ＶＲＡＭ（４８）中の正規化領域（図示せず）に格納される。
【００２８】
Ｓ３ステップにおいて出力された文字コードは、Ｓ４ステップにおいて順次ＳＲＡＭ（４９）中のダイヤルバッファ（３００）に電話番号データとして格納される。続くＳ５ステップではダイヤルバッファ（３００）中の電話番号データを表示部（１０）に表示すべくＣＰＵ（４０）が表示制御部（５４）を制御する。
【００２９】
その後Ｓ６ステップにおいて、メモリスイッチの１つである認識確認時間ＣＴが「０」であるか否かを判定する。上記ＣＴが「０」の場合には、Ｓ５ステップにおける電話番号データの表示状態をスタートキー（１７）が操作されるまで継続し、上記キー（１７）の操作を条件として後述のダイヤル発信動作（Ｓ１５ステップ）を開始することを示す。一方、上記ＣＴが「０」以外の正数である場合には、スタートキー（１７）が操作されない限りＣＴ秒後にはダイヤル発信動作を開始することを示す。尚、上記ＣＴの値は原稿読取手段（３１）に原稿（３）が挿入されていない待機状態時に上述のメニューキー（１１）、セットキー（１２）等を利用して変更できる。
【００３０】
Ｓ６ステップにおいて「ＣＴ＝０」と判定すると、ＣＰＵ（４０）はＳ８ステップに処理を進める。一方、「ＣＴ＝０」ではないと判定すると、Ｓ７ステップにおいて計時を開始する。具体的には、ＳＲＡＭ（４９）の格納領域（５００）中のタイマカウンタをリセット後、所定時間（１秒）単位毎にこのカウンタ値をカウントアップすることにより計時する。Ｓ７ステップに続いてはＳ８ステップが処理される。
【００３１】
Ｓ８ステップでは操作パネル（９）上の停止キー（１６）が操作されたか否かを判定し、操作されている際にはＳ１３ステップにおいてモータ制御部（４３）を制御することにより送信モータ（４４）を駆動し原稿読取手段（３１）中に位置する原稿（３）を排出し処理を終了する。
【００３２】
一方、Ｓ８ステップにおいて停止キー（１６）が操作されていないと判定すると、ＣＰＵ（４０）は続くＳ９ステップにおいてメニューキー（１１）あるいはセットキー（１２）が操作されたか否かを判定する。この時点での上記両キー（１１）（１２）は上記表示部（１０）に表示された認識結果に対する訂正の有無を指示するキーとして利用されると共に後述の説明から明らかなように上記表示部（１０）上でのカーソルの左右移動指示キーとして利用される。Ｓ９ステップにおいてメニューキー（１１）あるいはセットキー（１２）が操作されたと判定すると、ＣＰＵ（４０）はＳ１４ステップの訂正ルーチン（詳細は後述）を処理後、Ｓ１５ステップに処理を進める。一方、Ｓ９ステップにおいて上記キー（１１）（１２）のいずれも操作されていないと判定すると、続くＳ１０ステップにおいて操作パネル（９）上のスタートキー（１７）の操作を判定する。
【００３３】
Ｓ１０ステップにおいてスタートキー（１７）が操作されていると判定すると直ちに処理をＳ１５ステップに進める。また、スタートキー（１７）が操作されていないと判定すると、Ｓ１１ステップにおいて再び「ＣＴ＝０」か否かを判定し、「ＣＴ＝０」の場合には処理をＳ８ステップに戻す。一方、「ＣＴ＝０」でない場合にはＳ１２ステップにおいて上記タイマカウント値がＣＴ値に達したか否か、即ち、Ｓ７ステップの計時開始よりＣＴ秒経過したか否かを判定する。この判定において、ＣＴ秒経過していないと判定すると処理をＳ８ステップに戻し、一方ＣＴ秒経過したと判定すると処理をＳ１５ステップに進める。
【００３４】
従って、スイッチＣＴが「０」に設定されている際には、Ｓ６ステップからＳ８ステップに進み、メニューキー（１１）、セットキー（１２）、停止キー（１６）及びスタートキー（１７）が操作されるまでＳ８〜Ｓ１１ステップを繰返し処理する。一方、スイッチＣＴが「０」以外の正数の時にはＳ７ステップを処理後、上記各キー（１１）（１２）（１６）（１７）が操作されるか、又は、ＣＴ秒経過するまでＳ８〜Ｓ１２ステップを繰返し処理する。
【００３５】
Ｓ１５ステップでは、ダイヤルバッファ（３００）中の電話番号データに基づいてモデム（５８）中のＤＴＭＦ発生回路（６１）よりダイヤル信号を発生させＮＣＵ（５９）を介して電話回線Ｌ１、Ｌ２に出力する。尚、この時にはＣＰＵ（４０）はＮＣＵ制御Ｉ／Ｏポート（６２）を介してＮＣＵ（５９）を制御することにより電話回線Ｌ１、Ｌ２をモデム（５８）側に切換接続している。その後、相手側が応答するとＳ１６ステップにおいてファクシミリ通信を行ない処理を終了する。
【００３６】
図２は、上記Ｓ１４ステップの訂正ルーチンを示すフローチャートであり、Ｓ１００ステップではＳ９ステップで操作が検出されたキーがメニューキー（１１）又はセットキー（１２）のいずれであるかを判定し、セットキー（１２）と判定すると処理をＳ１０１ステップに進め、メニューキー（１１）と判定すると処理をＳ１０２ステップに進める。Ｓ１０１ステップでは表示部（１０）に表示された認識結果の先頭位置（左端）にカーソルを表示すべくＣＰＵ（４０）が表示制御部（５４）を制御し、一方、Ｓ１０２ステップでは表示部（１０）に表示された認識結果の終端位置（右端）にカーソルを表示すべくＣＰＵ（４０）が表示制御部（５４）を制御する。また、このときＣＰＵ（４０）は上記表示部（１０）に表示したカーソル位置をカーソルポインタＣＰとしてＳＲＡＭ（４９）の変数格納領域（５００）に格納する。
【００３７】
具体的には、例えばＳ５ステップにおいて図３の（Ａ）に示す如く表示部（１０）上に１２桁の認識結果「０３−３４５６−１２３４」が表示部（１０）の先頭桁（第１桁位置）より左詰めで表示されている際にＳ９ステップにおいてセットキー（１２）が操作されるとＳ１０１ステップが処理され図３の（Ｂ）に示す如く認識結果の先頭位置にカーソル（７０）が表示される。一方、Ｓ９ステップにおいてメニューキー（１１）が操作されるとＳ１０２ステップが処理され図３の（Ｃ）に示す如く認識結果の終端位置にカーソル（７０）が表示される。
【００３８】
このように訂正ルーチンに移行して初めて表示部（１０）上にカーソル（７０）が表示されるので、表示部（１０）へのカーソル（７０）の表示の有無により訂正モードへの確認が容易に行なえる。また、上記カーソル（７０）はセットキー（１２）操作時には認識結果の先頭位置に、メニューキー（１３）操作時には終端位置に表示されるので、例えば訂正すべき位置が先頭位置に近い場合にはセットキー（１２）を最初に操作することにより訂正すべき位置へのカーソル（７０）の移動を速やかに行なえ、一方、訂正すべき位置が終端位置に近い場合にはメニューキー（１３）を最初に操作することにより訂正すべき位置へのカーソル（７０）の移動を速やかに行なえる。
【００３９】
上記Ｓ１０１又はＳ１０２ステップの処理が終了すると、ＣＰＵ（４０）はＳ１０３ステップにおいてＳ３ステップのパターン認識対象となったパターンデータの印字出力を行なう。具体的には、ＣＰＵ（４０）はラインバッファ（１００）中のパターン列を読出すと共にモータ制御部（４３）及び記録制御部（５５）を制御することにより受信モータ（４５）及びサーマルヘッド（５６）を駆動し、上記ラインバッファ（１００）中のパターン列を印字出力する。
【００４０】
これにより、認識対象となったパターンを原稿（３）以外の用紙に別途書き写しておかなくとも、上記印字出力結果を利用して認識結果の訂正を行なえる。
【００４１】
尚、上記Ｓ１０３ステップではラインバッファ（１００）中のデータを印字するようにしたが、ＶＲＡＭ（４８）の正規化領域に格納されている正規化データを印字するようにしても良い。また、上記表示部（１０）とは別に高精細な表示器を設け、この表示器に上記ラインバッファ（１００）中のデータ又は正規化データを表示することにより上記印字を行なう方法と比較して処理速度を向上できる。また、上記正規化データを表示する場合には多少精細度の粗い表示器を利用できコスト的に有利となる。
【００４２】
Ｓ１０３ステップに続いてＳ１０４ステップが処理される。このステップでは、ＣＰＵ（４０）がＳＲＡＭ（４９）の変数格納領域（５００）中の停止キーカウンタＳＫＣをリセットする。続くＳ１０５ステップでは操作パネル（９）上のキー操作を待ち、キー操作があるとＳ１０６ステップにおいて操作されたキーの種別を判定する。
【００４３】
この判定において、セットキー（１２）が操作されたと判定すると、Ｓ１０７ステップにおいて表示部（１０）上のカーソル（７０）を１桁分右に移動すべくカーソルポインタＣＰの値を変更すると共に表示制御部（５４）を制御する。例えば図３（Ｂ）の状態でセットキー（１２）が操作されると図３（Ｄ）に示す如くカーソル（７０）は１桁分右に移動する。一方、メニューキー（１１）が操作されたと判定すると、Ｓ１０８ステップにおいて表示部（１０）上のカーソル（７０）を１桁分左に移動すべくＣＰの値を変更すると共に表示制御部（５４）を制御する。例えば、図３（Ｃ）の状態でメニューキー（１１）が操作されると図３（Ｅ）に示す如くカーソル（７０）は１桁分左へ移動する。
【００４４】
尚、図３（Ｂ）の状態からメニューキー（１１）が操作された場合にはカーソル（７０）は移動せず、一方、図３（Ｃ）の状態からセットキー（１２）が操作されると、カーソル（７０）は１桁分右へ移動する。
【００４５】
Ｓ１０６ステップにおいてテンキー群（１５）中のキーが操作されたと判定すると、Ｓ１０９ステップにおいてカーソル（７０）位置のデータは上記操作キーに対応したデータに置換される。具体的には、ＣＰＵ（４０）は入力Ｉ／Ｏポート（５３）を介して入力されたキー信号で示されるコードをカーソルポインタＣＰの値と対応するダイヤルバッファ（３００）中の領域に既に格納されているコードに替えて格納する。例えば、図３（Ｅ）の状態においてテンキー群（１５）中の「９」キーが操作されると、表示部（１０）の表示は図３（Ｆ）に示す如く変更される。
【００４６】
Ｓ１０６ステップにおいて停止キー（１６）が操作されたと判定すると、まずＳ１１０ステップにおいて停止キーカウンタＳＫＣを「１」だけカウントアップし、続くＳ１１１ステップにおいて「ＳＫＣ＝２」か否かを判定する。このステップにおいて、「ＳＫＣ＝２」ではないと判定するとＳ１１２ステップに処理を進め、現カーソル（７０）位置以降に表示されているデータをクリアする。具体的には、カーソルポインタＣＰの値と対応するダイヤルバッファ（３００）中の領域以降に格納されているコードデータを全てクリアする。例えば、図３（Ｆ）の状態において停止キー（１６）が操作され「ＳＫＣ＝１」となると、図３（Ｇ）に示す如く下２桁分の数字データはクリアされる。一方、Ｓ１１１ステップにおいて「ＳＫＣ＝２」と判定するとＳ１１３ステップに処理を進め、Ｓ１３ステップと同様に原稿排出し処理を終了する。
【００４７】
即ち、訂正ルーチンへの移行後、１回目の停止キー（１６）の操作によりカーソル（７０）以降のデータを削除でき、２回目の停止キー（１６）操作により原稿排出及び処理の停止を行わせることができる。また、このようなデータの削除方法を採用したことにより所望の認識結果に付随してノイズ等の影響による不所望な認識結果が発生したとしてもこの不所望な認識結果を簡単に削除できる。
【００４８】
Ｓ１０６ステップにおいて、スタートキー（１７）が操作されたと判定すると、ＣＰＵ（４０）は認識結果の訂正は終了したものとして処理をＳ１５ステップに戻し上述のダイヤル発信動作を実行する。
【００４９】
上記Ｓ１０７〜Ｓ１０９及びＳ１１２ステップの処理が終了すると処理はＳ１０５ステップに戻り、再び同じ処理を繰返す。
【００５０】
【発明の効果】
本発明によれば、表示された認識結果を各桁毎に訂正可能とするモードへの移行を訂正すべき桁位置を示すカーソル移動キー操作のみで行なえるので訂正モード移行のための操作を簡便に行なえると共にキー数の増大を防止できる。また、訂正モード移行直後のカーソルは訂正すべき桁位置近傍に表示させることができるので訂正すべき桁位置へのカーソル移動を速やかに行なえる。更に、認識結果の表示時点ではカーソルは表示されず、訂正モードへ移行して初めてカーソルが表示されるので、訂正モードへ移行したか否かを一目で視認できる。
【図面の簡単な説明】
【図１】本発明を適用した一実施例としてのファクシミリ装置の動作を説明するためのフローチャートである。
【図２】本実施例の動作を説明するためのフローチャートである。
【図３】本実施例の動作を説明するための模式図である。
【図４】本実施例を示す外観斜視図である。
【図５】本実施例の要部を示す平面図である。
【図６】本実施例の要部を示す側面図である。
【図７】本実施例の回路構成を示すブロック図である。
【図８】本実施例の要部を示す模式図である。
【図９】本実施例の要部を示す模式図である。
【符号の説明】
１０    表示部
１１    メニューキー
１２    セットキー
１６    停止キー
１７    スタートキー
３１    原稿読取手段
４０    ＣＰＵ
４１    ＲＯＭ
４８    ＶＲＡＭ
４９    ＳＲＡＭ
７０    カーソル
１００    ラインバッファ
３００    ダイヤルバッファ
５００    変数格納領域
【図１】
0003556995.tif 000002
【図２】
0003556995.tif 000003
【図３】
0003556995.tif 000004
【図４】
0003556995.tif 000005
【図５】
0003556995.tif 000006
【図６】
0003556995.tif 000007
【図７】
0003556995.tif 000008
【図８】
0003556995.tif 000009
【図９】
0003556995.tif 000010